(57)【要約】  【課題】簡単な構成で聞き易い再生音が得られる電子機器を提供する。  【解決手段】カメラの前カバー１１に音声再生用の駆動部材１を直接取り付け、前カバー１１を振動させて音声再生する。設けられる開口の数が後ろカバー１２に比べて少ない前カバー１１を被振動部材とすることにより、後ろカバー１２より広い振動面積が得られる。また、駆動部材１を除いて領域２内で前カバー１１の内側に当接する部材をなくしたので、前カバー１１を除く部材が共振して生じる不要音が抑えられる。  【選択図】図１
2006005457.tif 000002
【特許請求の範囲】
【請求項１】
音声再生信号に応じて振動する振動手段と、
前記振動手段で発生された振動で加振される部位を含む所定領域、および前記所定領域の周囲の間に不連続の空隙が設けられ、加振時に前記所定領域から再生音を発し、外部に露出する外面を有する筐体とを備えることを特徴とする電子機器。
【請求項２】
請求項１に記載の電子機器において、
前記電子機器はカメラであり、
前記所定領域は、前記カメラの被写体と対向する面に形成されていることを特徴とする電子機器。
【請求項３】
請求項１または２に記載の電子機器において、
前記空隙が集音孔を兼ねるように前記筐体の内面側に集音マイクが配設されることを特徴とする電子機器。
【請求項４】
請求項１〜３のいずれか一項に記載の電子機器において、
前記振動手段は圧電素子で構成されることを特徴とする電子機器。
【発明の詳細な説明】
【技術分野】
【０００１】
本発明は、小型電子機器の音声発生構造に関する。
【背景技術】
【０００２】
ノート型パーソナルコンピュータなどの小型機器に設けられるスピーカとして、振動板をエキサイタと呼ばれる駆動部材で振動させるパネル型スピーカが知られている。特許文献１には、小型機器の筐体に開口を形成し、この開口を塞ぐようにパネル型スピーカを取り付ける取り付け構造が記載されている。
【０００３】
【特許文献１】特開平１０−２４３４９１号公報
【発明の開示】
【発明が解決しようとする課題】
【０００４】
特許文献１に記載の方式では、スピーカの振動板の形状に合わせて筐体に開口を設けるために、筐体に対する加工工数が増え、開口を塞ぐようにスピーカを取り付けるための保持部材も必要になる。
【課題を解決するための手段】
【０００５】
本発明による電子機器は、音声再生信号に応じて振動する振動手段と、振動手段で発生された振動で加振される部位を含む所定領域、および所定領域の周囲の間に不連続の空隙が設けられ、加振時に所定領域から再生音を発し、外面に露出する外面を有する筐体とを備えることを特徴とする。
請求項２に記載の電子機器において、電子機器はカメラであり、この場合の所定領域はカメラの被写体と対向する面に形成するとよい。
請求項１または２に記載の電子機器において、空隙が集音孔を兼ねるように筐体の内面側に集音マイクを設けてもよい。
請求項１〜３のいずれか一項に記載の電子機器において、振動手段は圧電素子で構成してもよい。
【発明の効果】
【０００６】
本発明によれば、簡単な構成で聞き易い再生音が得られる電子機器を提供できる。
【発明を実施するための最良の形態】
【０００７】
以下、図面を参照して本発明を実施するための最良の形態について説明する。
（第一の実施形態）
図１は、本発明の第一の実施形態によるカメラの斜視図である。図１においてカメラの正面には、撮影レンズ１３と、ファインダ対物窓１７と、フラッシュ光窓１６と、グリップ１５とが設けられている。カメラの上面には、レリーズボタン１４が設けられている。カメラの正面の外装は外部に露出する外面を有する金属製の前カバー１１で構成され、撮影レンズ１３、ファインダ対物窓１７、およびフラッシュ光窓１６の位置にそれぞれ開口が設けられている。
【０００８】
カメラの背面には、図５に示されるように、ＬＣＤモニタ３０と、操作スイッチ群３１と、ファインダ接眼窓３２とが設けられている。カメラの背面の外装は、外部に露出する外面を有する金属製の後カバー１２で構成され、上記各部材の実装位置にそれぞれ開口が設けられている。
【０００９】
前カバー１１の裏側（カメラ内側）には、不図示の磁気回路およびボイスコイルで構成される駆動部材１が取り付けられている。駆動部材１に音声再生用信号が供給されると駆動部材１が前カバー１１を振動させ、加振された振動によって前カバー１１が再生音を発するように構成されている。
【００１０】
駆動部材１に供給される音声再生信号は、録音内容を再生したり、操作音や警告音などを発する場合に不図示の制御回路から供給される。なお、駆動部材１を圧電素子によって構成してもよい。
【００１１】
図１において、破線で囲む領域２は音声再生時に前カバー１１が振動する範囲を示す。領域２の面積は、駆動部材１の駆動によって加振、発音されるのに十分な面積が確保されている。カメラは、駆動部材１を除いて領域２内で前カバー１１の内側に当接する部材がないように構成されており、音声再生時に前カバー１１の振動が妨げられることがなく、かつ、不要な振動が前カバー１１を除く他の部材に伝播して不要音が発生することもない。
【００１２】
以上説明した第一の実施形態によれば、次の作用効果が得られる。
（１）カメラの前カバー１１に音声再生用の駆動部材１を直接取り付け、前カバー１１を振動させて音声再生するようにした。したがって、別個にスピーカを配設する場合に比べて構造が簡単で、小型化・軽量化を図ることができる。
【００１３】
（２）一般に、カメラの前カバー１１側に配設される操作部材は少なく、前カバー１１に設ける開口の数は後ろカバー１２に設ける開口の数に比べて少なくできる。したがって、前カバー１１を被振動部材とすることによって広い振動面積が得られ、音声再生効率が向上して再生音が聞き易くなる。
【００１４】
（３）駆動部材１を除いて領域２内で前カバー１１の内側に当接する部材をなくしたので、前カバー１１を除く部材が共振して生じる不要音が抑えられ、再生音が聞き易くなる。
【００１５】
（第二の実施形態）
図２は、本発明の第二の実施形態によるカメラの斜視図である。図１と比べて、前カバー１１Ａの振動する領域２の周囲の一部に空隙が形成されている点が異なる。前カバー１１Ａは、領域２の周囲に連続しない４つの空隙２１〜２４が設けられている。空隙２１〜２４は、たとえば、プレス加工によって形成される。
【００１６】
空隙２１〜２４が形成されることにより、音声再生時に領域２に生じる振動が前カバー１１Ａの領域２の外側の部位へ伝わりにくくなる。したがって、不要な振動によるビビリ音の発生が防止され、再生音が聞き易くなる。
【００１７】
また、カメラ内に集音マイクを設ける場合には、当該マイクを空隙２１〜２４のいずれかに近接して前カバー１１Ａの裏側（カメラ内側）に配設することにより、空隙２１〜２４を集音孔と兼用することができる。図２においては、一例としてマイク３３を前カバー１１Ａの内面側（カメラ内側）の空隙２２近傍に配置した例を示している。
【００１８】
空隙の設け方は、図２の例に限らず図３や図４のようにしてもよい。領域２の形状は、方形に限らず、円形や長円形、楕円形としてもよい。
【００１９】
以上説明した第二の実施形態によれば、次の作用効果が得られる。
（１）前カバー１１Ａの振動する領域２の周囲に連続しない４つの空隙２１〜２４を設けたので、前カバー１１Ａ全体が振動することがなく、聞き易くクリアな再生音が得られる。また、前カバー１１Ａ全体に不要な振動が生じることを防止するために前カバー１１Ａ自身を厚くしなくてよいので、機器の軽量化にも効果が得られる。
【００２０】
（２）空隙２１〜２４は連続しないので、領域２は前カバー１１と常に一体化される。したがって、領域２の部位を前カバー１１に取り付ける工程が不要になり、コスト低減の効果が得られる。
【００２１】
（３）前カバー１１Ａの被写体と対向する面に設けた空隙２１〜２４を集音孔としてマイクを設けるので、後カバー１２側に設ける場合に比べて、被写体側の音を拾いやすく、集音効率がよくなる。
【００２２】
図６は、例えば図４に示されるカメラのＸ−Ｘ'断面図である。図６において、電気回路基板４５に実装された駆動部材１の加振により振動する領域２は、異物の侵入を低減するために、空隙の少なくとも一部がゴムなどの弾性部材４３で保持されている。弾性部材４３は弾性を有しているので、領域２の振動がその周辺領域にまで伝達されることが防止される。領域２は音声を発生するのに必要なだけ振動すればよく、領域２に対して外力が加わった際に、前カバー１１Ｃ、弾性部材４３の破損を防止するとともに、領域２の振動が音声発生に必要となる振動ストロークを越えた位置で、それ以上の領域２の移動が発生しないように、例えばゴムなどによって構成される制限部材４４が前カバー１１Ｃの内側（領域２近傍）に設けられている。なお、弾性部材４３を用いて上記制限部材４４の機能を実現してもよい。あるいは、制限部材４４を駆動部材１の周囲を囲むように構成して、駆動部材１の実装部への異物の侵入を防止する構成としてもよい。なお、弾性部材４３、制限部材４４をとくに設けない構成としてもよい。
【００２３】
以上の説明では、前カバー１１（１１Ａ〜Ｃ）を金属製にする例を説明したが、樹脂によって構成してもよい。
【００２４】
カメラを例にあげて説明したが、パソコン、ＰＤＡ、携帯電話機などの小型電子機器にも本発明を適用できる。
【００２５】
特許請求の範囲における各構成要素と、発明を実施するための最良の形態における各構成要素との対応について説明する。振動手段は、たとえば、駆動部材１によって構成される。筐体は、たとえば、前カバー１１（１１Ａ〜Ｃ）によって構成される。なお、本発明の特徴的な機能を損なわない限り、各構成要素は上記構成に限定されるものではない。
【図面の簡単な説明】
【００２６】
【図１】本発明の第一の実施形態によるカメラの斜視図である。
【図２】本発明の第二の実施形態によるカメラの斜視図である。
【図３】空隙の設け方を説明する図である。
【図４】空隙の設け方を説明する図である。
【図５】第一の実施形態によるカメラの背面を説明する斜視図である。
【図６】図４に示されるカメラの断面図である。
【符号の説明】
【００２７】
１…駆動部材
２…領域
１１（１１Ａ〜Ｃ）…前カバー
１２…後カバー
１３…撮影レンズ
１６…フラッシュ光窓
１７…ファインダ対物窓
２１〜２４…空隙
３０…ＬＣＤモニタ
３２…ファインダ接眼窓
【図１】
2006005457.tif 000003
【図２】
2006005457.tif 000004
【図３】
2006005457.tif 000005
【図４】
2006005457.tif 000006
【図５】
2006005457.tif 000007
【図６】
2006005457.tif 000008